(57)【要約】      （修正有）【課題】ステム部材に対して曲げ方向の力を発生させることを防止でき、大腿骨に対してステム部材を容易に取り付けることができる、人工股関節用手術器具を提供する。【解決手段】加圧部２０は、ステム部材１０３に当接するとともに、ステム部材１０３の棒状部分の軸心方向Ｐに沿って作用する力をステム部材１０３に伝達してステム部材１０３を加圧する加圧力を発生させる。ブロック部１３は、ステム部材１０３におけるモジュラーネック部材と嵌合可能な嵌合穴に対して嵌合する嵌合部分２２ａ等を有するとともに、加圧部２０のステム部材１０３に当接する位置を規定する。本体部１７は、加圧部２０とブロック部１３とを連結する。固定手段１４は、ブロック部１３をステム部材１０３に対して固定する。【選択図】図５
0003151004.tif 000002
【実用新案登録請求の範囲】
【請求項１】
大腿骨に一端側が埋植される棒状に形成されたステム部材と当該ステム部材に対して嵌合により取り付けられるとともに骨頭ボール部材にも嵌合するモジュラーネック部材とを有する人工股関節に股関節を置換する人工股関節置換術において、大腿骨に対して前記ステム部材を取り付けるために用いられる人工股関節用手術器具であって、
前記ステム部材に当接するとともに、前記ステム部材の棒状部分の軸心方向に沿って作用する力を当該ステム部材に伝達して当該ステム部材を加圧する加圧力を発生させる加圧部と、
前記ステム部材における前記モジュラーネック部材と嵌合可能な嵌合穴に対して嵌合する嵌合部分を有するとともに、前記加圧部の前記ステム部材に当接する位置を規定可能なブロック部と、
前記加圧部と前記ブロック部とを連結又は一体化する本体部と、
前記ブロック部を前記ステム部材に対して固定する固定手段と、
を備えていることを特徴とする、人工股関節用手術器具。
【請求項２】
請求項１に記載の人工股関節用手術器具であって、
前記ブロック部は、前記本体部とは別体に形成されるとともに、前記本体部に対して着脱自在に取り付け可能なように設けられ、
前記ステム部材の形状寸法の違いに対応して前記加圧部の前記ステム部材に当接する位置を当該ステム部材の棒状部分の軸心方向に沿った位置にそれぞれ調整して規定可能な形状寸法の異なる複数の前記ブロック部が備えられていることを特徴とする、人工股関節用手術器具。
【請求項３】
請求項２に記載の人工股関節用手術器具であって、
前記本体部に一体化されて形成され、把持操作が可能なハンドル部が更に設けられていることを特徴とする、人工股関節用手術器具。
【請求項４】
請求項３に記載の人工股関節用手術器具であって、
前記ハンドル部に対して直線方向に沿って移動自在に支持されるとともに、前記ハンドル部から突出して前記ステム部材に対向する一端側に前記加圧部が設けられたロッド部を更に備え、
前記ロッド部は、前記ステム部材に向かって付勢されることで、当該ステム部材に当接する前記加圧部において前記加圧力を発生させることを特徴とする、人工股関節用手術器具。
【請求項５】
請求項４に記載の人工股関節用手術器具であって、
前記ロッド部の一端側を前記ステム部材に向かって突出させる方向に当該ロッド部を前記ハンドル部に対して付勢する付勢バネを更に備えていることを特徴とする、人工股関節用手術器具。
【請求項６】
請求項４又は請求項５に記載の人工股関節用手術器具であって、
前記ロッド部には、前記加圧部が設けられる一端側とは反対側の他端側において前記ハンドル部から突出した状態で配置されるヘッド部が設けられ、
前記ヘッド部が打ちつけられることで前記ロッド部を介して前記ステム部材に前記加圧力が付与されることを特徴とする、人工股関節用手術器具。
【請求項７】
請求項４乃至請求項６のいずれか１項に記載の人工股関節用手術器具であって、
複数の前記ブロック部は、前記嵌合部分と一体に形成されるとともに当該嵌合部分が前記嵌合穴に嵌合する嵌合方向と反対方向に向かって厚みが増すように延びて形成された基
体部分をそれぞれ有し、
複数の前記ブロック部において、前記基体部分の前記嵌合方向と反対方向に延びる厚さ寸法が異なることを特徴とする、人工股関節用手術器具。
【請求項８】
請求項２乃至請求項７のいずれか１項に記載の人工股関節用手術器具であって、
前記ブロック部は、
前記嵌合部分と一体に形成されるとともに当該嵌合部分が前記嵌合穴に嵌合する嵌合方向と反対方向に向かって厚みが増すように延びて形成された基体部分と、
前記基体部分と一体に形成されるとともに当該基体部分から前記嵌合方向と反対方向に向かって突出して延びるように形成され、前記本体部に嵌め込まれるように挿入される挿入用突出部分と、
を有していることを特徴とする、人工股関節用手術器具。
【請求項９】
請求項８に記載の人工股関節用手術器具であって、
前記固定手段は、前記本体部と前記ブロック部とを前記嵌合方向に沿って貫通する第１のボルト部材として設けられ、
前記第１のボルト部材の一端側が前記ステム部材に螺合するとともに他端側が前記本体部に係合することで、前記ブロック部を前記ステム部材に対して固定するとともに当該ブロック部を前記本体部に対して固定することを特徴とする、人工股関節用手術器具。
【請求項１０】
請求項１に記載の人工股関節用手術器具であって、
前記ブロック部は前記本体部と一体に形成されるとともに、前記加圧部は前記本体部から突出した部分として設けられていることを特徴とする、人工股関節用手術器具。
【請求項１１】
請求項１０に記載の人工股関節用手術器具であって、
前記本体部には、前記加圧部が突出する側と反対側において、一端側の端部が打ちつけられる器具の他端側の端部と嵌合する凹み穴が形成されていることを特徴とする、人工股関節用手術器具。
【請求項１２】
請求項１０又は請求項１１に記載の人工股関節用手術器具であって、
一体形成された前記本体部及び前記ブロック部として構成された一体化本体ブロックは、複数設けられ、前記ステム部材の形状寸法の違いに対応して前記加圧部の前記ステム部材に当接する位置を当該ステム部材の棒状部分の軸心方向に沿った位置にそれぞれ調整して規定可能なように、それぞれ形状寸法が異なることを特徴とする、人工股関節用手術器具。
【請求項１３】
請求項１０乃至請求項１２のいずれか１項に記載の人工股関節用手術器具であって、
前記固定手段は、前記嵌合部分が前記嵌合穴に嵌合する嵌合方向に沿って前記本体部及び前記ブロック部の少なくともいずれかを貫通する第２のボルト部材として設けられ、
前記第２のボルト部材は、その一端側が前記ステム部材に螺合するとともに、その他端側が前記本体部及び前記ブロック部の少なくともいずれかに係合することで、前記ブロック部及び前記本体部を前記ステム部材に対して固定することを特徴とする、人工股関節用手術器具。
【考案の詳細な説明】
【技術分野】
【０００１】
本考案は、大腿骨に一端側が埋植される棒状に形成されたステム部材とステム部材に対して嵌合により取り付けられるとともに骨頭ボール部材にも嵌合するモジュラーネック部材とを有する人工股関節に股関節を置換する人工股関節置換術において、大腿骨に対してステム部材を取り付けるために用いられる人工股関節用手術器具に関する。
【背景技術】
【０００２】
従来より、股関節に異常が認められた患者に対してその股関節を人工股関節に置換する人工股関節置換術が行われている。このような人工股関節置換術においては、大腿骨に一端側が埋植される棒状に形成されたステム部材とステム部材に対して嵌合により取り付けられるとともに骨頭ボール部材にも嵌合するモジュラーネック部材とを有する人工股関節が、従来より用いられている。この人工股関節では、ステム部材とモジュラーネック部材との組み合わせを適宜変更することで、より患者の状況に応じた人工股関節が選択されることになる。そして、人工股関節置換術において上記の人工股関節のステム部材を大腿骨に配置する場合には、大腿骨に対してステム部材を取り付けるために用いられる所定の人工股関節用手術器具が用いられる。
【０００３】
非特許文献１においては、股関節を人工股関節に置換する人工股関節置換術において大腿骨に対してステム部材を取り付けるために用いられる人工股関節用手術器具が開示されている。非特許文献１における第４頁のＦＩＧＵＲＥ６に開示された人工股関節用手術器具は、その一端側の端部にて、ステム部材におけるモジュラーネック部材と嵌合可能な嵌合穴においてステム部材に対して固定される。そして、人工股関節用手術器具が固定されたステム部材が大腿骨の髄腔部に挿入された状態で、人工股関節用手術器具の他端側の端部が打ちつけられることで、人工股関節用手術器具が、大腿骨の髄腔部の奥側に向かってステム部材を付勢するように加圧する。このようにして大腿骨に対してステム部材が取り付けられた後、人工股関節用手術器具が、ステム部材の嵌合穴から取り外される。
【０００４】
モジュラーネック部材と嵌合する形態のステム部材の場合、モジュラーネック部材と嵌合するための嵌合穴が設けられることになり、ステム部材においてその嵌合穴の配置スペースが確保される必要がある。このため、人工股関節用手術器具をステム部材に固定する際の固定位置に関する制約が生じてしまうことになる。これに対し、非特許文献１に開示された人工股関節用手術器具の場合、ステム部材の嵌合穴を利用して人工股関節用手術器具のステム部材への固定を実現することができる。
【先行技術文献】
【非特許文献】
【０００５】
【非特許文献１】“Surgical Technique - PROFEMUR S - Total Hip System”、［online］、第４頁、FIGURE6、WRIGHT、［平成２１年３月１３日検索］、インターネット<http://www.wmt.com/Downloads/Techniques/MH161-604%20Profemur%20S%20ST.pdf>
【考案の概要】
【考案が解決しようとする課題】
【０００６】
非特許文献１に開示された人工股関節用手術器具を用いることで、術者は、モジュラーネック部と嵌合する嵌合穴が設けられたステム部材に対して人工股関節用手術器具を固定し、大腿骨の髄腔部にステム部材を挿入して加圧し、大腿骨に対してステム部材を取り付けることができる。しかしながら、ステム部材における嵌合穴は、モジュラーネック部材をステム部材の棒状部分の軸心方向に対して斜めに嵌合させるように形成される。このた
め、非特許文献１の人工股関節用手術器具では、その胴体部分の長手方向に対して（即ち、人工股関節用手術器具の軸心方向に対して）、ステム部材の嵌合穴において固定される一端側の端部が斜めに屈曲するように形成されている。そして、人工股関節用手術器具の軸心方向とステム部材の棒状部分の軸心方向とがずれた状態で、人工股関節用手術器具とステム部材とが固定されることになる。このため、軸心方向に対して斜めに屈曲した一端側の端部でステム部材に固定された人工股関節用手術器具がその軸心方向に沿って付勢されると、ステム部材における嵌合穴が設けられた端部側において内反させる回転方向の力が生じてしまうことになる。従って、非特許文献１に開示の人工股関節用手術器具を用いてステム部材を付勢する場合、大腿骨の髄腔部に一端側が挿入されたステム部材に対して曲げ方向の力を発生させてしまうことになり、ステム部材の大腿骨への取り付け作業が難しくなってしまうという問題がある。
【０００７】
本考案は、上記実情に鑑みることにより、モジュラーネック部材と嵌合する形態のステム部材を大腿骨に取り付けるための人工股関節用手術器具に関し、ステム部材に対して曲げ方向の力を発生させることを防止でき、大腿骨に対してステム部材を容易に取り付けることができる、人工股関節用手術器具を提供することを目的とする。
【課題を解決するための手段】
【０００８】
上記目的を達成するための第１考案に係る人工股関節用手術器具は、大腿骨に一端側が埋植される棒状に形成されたステム部材と当該ステム部材に対して嵌合により取り付けられるとともに骨頭ボール部材にも嵌合するモジュラーネック部材とを有する人工股関節に股関節を置換する人工股関節置換術において、大腿骨に対して前記ステム部材を取り付けるために用いられる人工股関節用手術器具に関する。そして、第１考案に係る人工股関節用手術器具は、前記ステム部材に当接するとともに、前記ステム部材の棒状部分の軸心方向に沿って作用する力を当該ステム部材に伝達して当該ステム部材を加圧する加圧力を発生させる加圧部と、前記ステム部材における前記モジュラーネック部材と嵌合可能な嵌合穴に対して嵌合する嵌合部分を有するとともに、前記加圧部の前記ステム部材に当接する位置を規定可能なブロック部と、前記加圧部と前記ブロック部とを連結又は一体化する本体部と、前記ブロック部を前記ステム部材に対して固定する固定手段と、を備えていることを特徴とする。
【０００９】
この考案によると、人工股関節用手術器具には本体部で連結又は一体化されたブロック部と加圧部とが設けられ、ブロック部における嵌合部分がステム部材の嵌合穴に嵌合した状態でブロック部において人工股関節用手術器具がステム部材に固定される。このとき、ブロック部によって、加圧部のステム部材に当接する位置が規定されている。そして、人工股関節用手術器具が固定されたステム部材を大腿骨の髄腔部に挿入した状態で、この人工股関節用手術器具に対してステム部材の棒状部分の軸心方向に沿った力が付加される。これにより、その力がステム部材に当接する加圧部から同じ方向でそのステム部材に対して伝達され、ステム部材の軸心方向に沿った加圧力が加圧部からステム部材に付与されることになる。このため、ステム部材に対しては、ステム部材における嵌合穴が設けられた端部側において内反又は外反させるような回転方向の力が生じることがなく、ステム部材に対して曲げ方向の力が発生してしまうことを防止できる。このため、術者は、ステム部材の軸心方向に沿った力を発生させてその同一方向においてステム部材を加圧することができ、大腿骨に対してステム部材を容易に取り付けることができる。
【００１０】
従って、本考案によると、モジュラーネック部材と嵌合する形態のステム部材を大腿骨に取り付けるための人工股関節用手術器具に関し、ステム部材に対して曲げ方向の力を発生させることを防止でき、大腿骨に対してステム部材を容易に取り付けることができる、人工関節置換術用手術器具を提供することができる。
【００１１】
第２考案に係る人工股関節用手術器具は、第１考案の人工股関節用手術器具において、前記ブロック部は、前記本体部とは別体に形成されるとともに、前記本体部に対して着脱自在に取り付け可能なように設けられ、前記ステム部材の形状寸法の違いに対応して前記加圧部の前記ステム部材に当接する位置を当該ステム部材の棒状部分の軸心方向に沿った位置にそれぞれ調整して規定可能な形状寸法の異なる複数の前記ブロック部が備えられていることを特徴とする。
【００１２】
この考案によると、本体部に対して別体に形成されて着脱自在なブロック部が、ステム部材の形状寸法の違いに対応してそれぞれ形状寸法の異なるブロック部として複数設けられる。そして、ステム部材を大腿骨に取り付ける場合には、そのステム部材の形状寸法に対応する形状寸法のブロック部を本体部に取り付け、そのブロック部をステム部材に固定することで、加圧部のステム部材に当接する位置がステム部材の軸心方向に沿った所定の位置に規定される。このため、ブロック部のみを複数設けることで、形状寸法の異なるステム部材を大腿骨に対して容易に取り付けることができ、構成の簡素化を図ることができる。
【００１３】
第３考案に係る人工股関節用手術器具は、第２考案の人工股関節用手術器具において、前記本体部に一体化されて形成され、把持操作が可能なハンドル部が更に設けられていることを特徴とする。
【００１４】
この考案によると、本体部に一体化されたハンドル部が設けられているため、このハンドル部を把持操作しながらステム部材の大腿骨への取り付け作業を行うことができ、更にステム部材の取り付け作業の容易化を図ることができる。そして、形状寸法の異なるステム部材を取り扱う場合であっても、一体化されたハンドル部及び本体部はそのまま用いてブロック部のみを対応する形状寸法のものに取り替えることで、容易にステム部材の取り付け作業を行うことができ、構成の簡素化を図ることができる。
【００１５】
第４考案に係る人工股関節用手術器具は、第３考案の人工股関節用手術器具において、前記ハンドル部に対して直線方向に沿って移動自在に支持されるとともに、前記ハンドル部から突出して前記ステム部材に対向する一端側に前記加圧部が設けられたロッド部を更に備え、前記ロッド部は、前記ステム部材に向かって付勢されることで、当該ステム部材に当接する前記加圧部において前記加圧力を発生させることを特徴とする。
【００１６】
この考案によると、ハンドル部に対して直線方向に移動自在に支持されたロッド部が設けられ、そのロッド部におけるハンドル部から突出する一端側にステム部材に当接して加圧力を発生させる加圧部が設けられる。このため、ロッド部を移動させることによって、加圧部の位置を加圧力を作用させる方向において容易に調整することができる。
【００１７】
第５考案に係る人工股関節用手術器具は、第４考案の人工股関節用手術器具において、前記ロッド部の一端側を前記ステム部材に向かって突出させる方向に当該ロッド部を前記ハンドル部に対して付勢する付勢バネを更に備えていることを特徴とする。
【００１８】
この考案によると、ロッド部をステム部材に向かって突出させる方向に付勢する付勢バネが設けられている。このため、ロッド部の一端側の加圧部は付勢バネのバネ力によってステム部材に対して押し付けられた状態に維持されることになり、ロッド部がステム部材に対して振動するように何度も当接してステム部材を傷付けてしまうことが防止される。また、ロッド部に対してステム部材の軸心方向に沿った衝撃力を作用させて加圧部からステム部材を加圧する場合であっても、その衝撃力の作用時において、加圧部が付勢バネのバネ力によってステム部材に対して押し付けられていて隙間がない状態となっている。このため、加圧部が隙間を介して急激にステム部材に衝突するようなことがなく、ステム部
材を傷付けてしまうことが防止される。
【００１９】
第６考案に係る人工股関節用手術器具は、第４考案又は第５考案の人工股関節用手術器具において、前記ロッド部には、前記加圧部が設けられる一端側とは反対側の他端側において前記ハンドル部から突出した状態で配置されるヘッド部が設けられ、前記ヘッド部が打ちつけられることで前記ロッド部を介して前記ステム部材に前記加圧力が付与されることを特徴とする。
【００２０】
この考案によると、ロッド部の他端側にはハンドル部から突出した状態のヘッド部が設けられ、術者は、このヘッド部を打ちつけることで、ロッド部の一端側の加圧部からステム部材に対して加圧力を付与することができる。従って、術者は、ハンドル部を把持して、そのハンドル部を貫通した状態で支持されたロッド部の端部のヘッド部を打ち付けるだけで、ステム部材をその軸心方向に沿って加圧する加圧力を容易に発生させることができる。
【００２１】
第７考案に係る人工股関節用手術器具は、第４考案乃至第６考案のいずれかの人工股関節用手術器具において、複数の前記ブロック部は、前記嵌合部分と一体に形成されるとともに当該嵌合部分が前記嵌合穴に嵌合する嵌合方向と反対方向に向かって厚みが増すように延びて形成された基体部分をそれぞれ有し、複数の前記ブロック部において、前記基体部分の前記嵌合方向と反対方向に延びる厚さ寸法が異なることを特徴とする。
【００２２】
この考案によると、複数のブロック部は、嵌合穴への嵌合方向と反対方向に厚みが増す基体部分の厚さ寸法が異なるように形成される。そして、ステム部材を大腿骨に取り付ける場合には、そのステム部材の形状寸法に対応する厚さ寸法の基体部分を有するブロック部を本体部に取り付け、そのブロック部をステム部材に固定するとともに、ロッド部の位置を調整することで、加圧部のステム部材に当接する位置がステム部材の軸心方向に沿った所定の位置に規定される。このため、基体部分の厚さ寸法が異なるブロック部のみを複数設けることで、形状寸法の異なるステム部材を大腿骨に対して容易に取り付けることができ、構成の簡素化を図ることができる。
【００２３】
第８考案に係る人工股関節用手術器具は、第２考案乃至第７考案のいずれかの人工股関節用手術器具において、前記ブロック部は、前記嵌合部分と一体に形成されるとともに当該嵌合部分が前記嵌合穴に嵌合する嵌合方向と反対方向に向かって厚みが増すように延びて形成された基体部分と、前記基体部分と一体に形成されるとともに当該基体部分から前記嵌合方向と反対方向に向かって突出して延びるように形成され、前記本体部に嵌め込まれるように挿入される挿入用突出部分と、を有していることを特徴とする。
【００２４】
この考案によると、ブロック部は、基体部分の一方側に嵌合部分が設けられその反対側に挿入用突出部分が設けられるよう形成されている。このため、嵌合部分でステム部材の嵌合穴に嵌合させ、挿入用突出部分で本体部に挿入して嵌め込むことができ、本体部及びステム部材に対して同軸方向に沿って容易に取り付けることができるブロック部を得ることができる。
【００２５】
第９考案に係る人工股関節用手術器具は、第８考案の人工股関節用手術器具において、前記固定手段は、前記本体部と前記ブロック部とを前記嵌合方向に沿って貫通する第１のボルト部材として設けられ、前記第１のボルト部材の一端側が前記ステム部材に螺合するとともに他端側が前記本体部に係合することで、前記ブロック部を前記ステム部材に対して固定するとともに当該ブロック部を前記本体部に対して固定することを特徴とする。
【００２６】
この考案によると、本体部及びブロック部を貫通させた第１のボルト部材の一端側でス
テム部材に螺合させるとともに他端側で本体部に係合させることで、ステム部材、ブロック部及び本体部を第１のボルト部材のみによって一体的に固定することができる。従って、ブロック部をステム部材に固定する固定手段である第１のボルト部材によってブロック部の本体部への固定も行うことができ、ステム部材、ブロック部及び本体部を結合させる構造の簡素化を図ることができる。
【００２７】
第１０考案に係る人工股関節用手術器具は、第１考案の人工股関節用手術器具において、前記ブロック部は前記本体部と一体に形成されるとともに、前記加圧部は前記本体部から突出した部分として設けられていることを特徴とする。
【００２８】
この考案によると、加圧部が突出するよう設けられた本体部にブロック部が一体形成されることで、人工股関節用手術器具が構成される。このため、小型でコンパクトな構造の人工股関節用手術器具を実現することができる。
【００２９】
第１１考案に係る人工股関節用手術器具は、第１０考案の人工股関節用手術器具において、前記本体部には、前記加圧部が突出する側と反対側において、一端側の端部が打ちつけられる器具の他端側の端部と嵌合する凹み穴が形成されていることを特徴とする。
【００３０】
この考案によると、本体部には加圧部と反対側に凹み穴が形成されており、衝撃力を付与するための器具の端部がこの凹み穴に嵌合した状態でその器具のもう一方の端部が打ちつけられることで、ステム部材を加圧する加圧力を生じさせることができる。このため、ステム部材を大腿骨に取り付けるための衝撃力を付与する器具として、ネック部とステム部とが一体に形成されたステム部材を大腿骨に取り付けるために従来から用いられているようなロッド状の器具（ステム打ち込み器）の端部を本体部の凹み穴に嵌合させて用いることができる。また、加圧部が突出するよう設けられた本体部にブロック部が一体形成されたコンパクトな構造の人工股関節用手術器具において、更に凹み穴を設けるという簡素な構成によって、衝撃力を伝達することによる加圧力をステム部材に対して安定的に作用させることができる。
【００３１】
第１２考案に係る人工股関節用手術器具は、第１０考案又は第１１考案の人工股関節用手術器具において、一体形成された前記本体部及び前記ブロック部として構成された一体化本体ブロックは、複数設けられ、前記ステム部材の形状寸法の違いに対応して前記加圧部の前記ステム部材に当接する位置を当該ステム部材の棒状部分の軸心方向に沿った位置にそれぞれ調整して規定可能なように、それぞれ形状寸法が異なることを特徴とする。
【００３２】
この考案によると、一体形成された本体部及びブロック部で構成された一体化本体ブロックが、ステム部材の形状寸法の違いに対応してそれぞれ形状寸法の異なる一体化本体ブロックとして複数設けられる。そして、ステム部材を大腿骨に取り付ける場合には、そのステム部材の形状寸法に対応する形状寸法の一体化本体ブロックを選択し、それをステム部材に固定することで、加圧部のステム部材に当接する位置がステム部材の軸心方向に沿った所定の位置に規定される。このため、一体化本体ブロックを複数設けることで、形状寸法の異なるステム部材を大腿骨に対して容易に取り付けることができる。
【００３３】
第１３考案に係る人工股関節用手術器具は、第１０考案乃至第１２考案のいずれかの人工股関節用手術器具において、前記固定手段は、前記嵌合部分が前記嵌合穴に嵌合する嵌合方向に沿って前記本体部及び前記ブロック部の少なくともいずれかを貫通する第２のボルト部材として設けられ、前記第２のボルト部材は、その一端側が前記ステム部材に螺合するとともに、その他端側が前記本体部及び前記ブロック部の少なくともいずれかに係合することで、前記ブロック部及び前記本体部を前記ステム部材に対して固定することを特徴とする。
【００３４】
この考案によると、一体形成された本体部及びブロック部の少なくともいずれかを貫通させた第２のボルト部材の一端側でステム部材に螺合させるとともに他端側で本体部及びブロック部の少なくともいずれかに係合させることで、ブロック部及び本体部を第２のボルト部材を用いた簡素な構成によってステム部材に対して容易に固定することができる。従って、ブロック部をステム部材に固定する固定手段を本体部及びブロック部の少なくともいずれかを貫通する第２のボルト部材によって簡素な構成で容易に形成することができる。
【考案の効果】
【００３５】
本考案によると、モジュラーネック部材と嵌合する形態のステム部材を大腿骨に取り付けるための人工股関節用手術器具に関し、ステム部材に対して曲げ方向の力を発生させることを防止でき、大腿骨に対してステム部材を容易に取り付けることができる、人工股関節用手術器具を提供することができる。
【図面の簡単な説明】
【００３６】
【図１】本考案の第１実施形態に係る人工股関節用手術器具を示す正面図であって、一部断面で示す図である。
【図２】人工股関節を示す断面図であり、大腿骨及び骨盤の断面の一部とともに示す図である。
【図３】図２に示す人工股関節におけるステム部材及びモジュラーネック部材を示す正面図であって、一部断面で示す図である。
【図４】図２に示す人工股関節における形状寸法の異なるステム部材を例示した正面図である。
【図５】図１に示す人工股関節用手術器具及びステム部材を一部断面で示す正面図である。
【図６】図５に示す人工股関節用手術器具における本体ユニット、打ち込みロッド、付勢バネ及び補助ハンドルを示す正面図である。
【図７】図５に示す人工股関節用手術器具における調整ブロックの正面図である。
【図８】図５の一部拡大図である
【図９】図８の分解図である。
【図１０】図５に示す人工股関節用手術器具において、図５とは形状寸法の異なる調整ブロックを用いて人工股関節用手術器具とステム部材とが固定された状態を示す一部断面を含む正面図である。
【図１１】本考案の第２実施形態に係る人工股関節用手術器具を示す正面図であって、一部断面で示す図である。
【図１２】図１１に示す人工股関節用手術器具及びステム部材を一部断面で示す正面図である。
【図１３】図１１に示す人工股関節用手術器具における一体化本体ブロックの正面図である。
【図１４】図１２の一部拡大図である
【図１５】図１４の分解図である。
【図１６】図１２に示す人工股関節用手術器具において、図１２とは形状寸法の異なる一体化本体ブロックを用いて人工股関節用手術器具とステム部材とが固定された状態を示す一部断面を含む正面図である。
【考案を実施するための形態】
【００３７】
以下、本考案を実施するための形態について図面を参照しつつ説明する。本考案は、大腿骨に一端側が埋植される棒状に形成されたステム部材とステム部材に対して嵌合により取り付けられるとともに骨頭ボール部材にも嵌合するモジュラーネック部材とを有する人
工股関節に股関節を置換する人工股関節置換術において、大腿骨に対してステム部材を取り付けるために用いられる人工股関節用手術器具として広く適用することができるものである。尚、以下の説明では、骨セメントを用いずにステム部材が大腿骨に対して埋植されるセメントレスタイプの人工股関節に置換する人工股関節置換術において本考案が適用される場合を例にとって説明するが、この例に限らず本考案を適用することができる。即ち、本考案は、ステム部材が大腿骨に対して埋植される際に骨セメントが用いられるタイプの人工股関節に置換する人工股関節置換術においても適用することができる。
【００３８】
（第１実施形態）
図１は、本考案の第１実施形態に係る人工股関節用手術器具１を示す正面図であって、一部断面で示す図である。図１に示す人工股関節用手術器具１は、股関節を人工股関節に置換する人工股関節置換術において用いられる。一方、図２は、人工股関節を示す断面図であり、大腿骨１００及び骨盤１０１の断面の一部とともに示している図である。本実施形態に係る人工股関節用手術器具１が適用される人工股関節置換術においては、股関節を図２に示す人工股関節に置換する手術が行われる。
【００３９】
ここで、図２に示す人工股関節１０２について説明する。人工股関節１０２は、そのコンポーネントとして、ステム部材１０３、モジュラーネック部材１０４、骨頭ボール部材１０５、シェル１０６及びライナー１０７を備えて構成されている。
【００４０】
図３は、ステム部材１０３及びモジュラーネック部材１０４を示す正面図である。尚、図３では、ステム部材１０３については、一部切欠き断面で示している。図２及び図３に示すステム部材１０３は、大腿骨１００の髄腔部１００ａに一端側が埋植されて配置される棒状に形成されている。そして、ステム部材１０３は、その一端側に向かって棒状部分の軸心方向Ｐ（図３中において一点鎖線で示す）に沿って真っ直ぐに延びるように形成され、その他端側は太く広がった形状に形成されている。
【００４１】
また、ステム部材１０３の他端側の端部には、嵌合穴１０８、ネジ穴１０９、凹部１１０が形成されている。嵌合穴１０８は、軸心方向Ｐに対して斜めに向かって開口するように形成されており、後述するモジュラーネック部材１０４と嵌合可能に形成されている。この嵌合穴１０８は、開口側に向かって僅かに広がるようにテーパ状の穴として設けられている。ネジ穴１０９は、後述する人工股関節用手術器具１とステム部材１０３とを固定する際に用いられ、雌ネジ部分が内周に形成された穴として設けられている。そして、このネジ穴１０９は、嵌合穴の底面の中心部分に開口するように形成されている。凹部１１０は、半球面状に凹んだ部分として形成されており、後述するように、人工股関節用手術器具１からステム部材１０３への加圧力が作用する部分を構成している。
【００４２】
図２及び図３に示すモジュラーネック部材１０４は、ステム部材１０３に対して嵌合により取り付けられるとともに骨頭ボール部材１０５にも嵌合する軸状の部材として形成されている。そして、モジュラーネック部材１０４の一端側は、図３中において矢印Ａで示すように、ステム部材１０３の嵌合穴１０８に対して挿入され、図２に示すように、嵌合穴１０８と嵌合する。一方、モジュラーネック部材１０４の他端側は、ボール状に形成された骨頭ボール部材１０５と嵌合する（図２参照）。また、シェル１０６は、半球殻状に形成され、骨盤１０１の寛骨臼１０１ａに配置される。そして、シェル１０６の内側にはシェル１０６よりも小径の半球殻状に形成されたライナー１０７が取り付けられ、このライナー１０７の内側で半球面状に凹む摺動面１１１に対して骨頭ボール部材１０５が摺動するように配置される。なお、寛骨臼１０１ａに配置される部材は、骨セメントを用いて骨に固定されるタイプ（例えば超高分子量ポリエチレン製のソケット）を用いることもできる。
【００４３】
尚、ステム部材１０３及びモジュラーネック部材１０４は、それぞれ形状寸法が異なる複数のもののうちから患者の状況に応じて適宜選択されて組み合わされて用いられる。図４は、形状寸法の異なるステム部材１０３（１０３ａ、１０３ｂ、１０３ｃ）を例示した正面図である。この図４（ａ）乃至（ｃ）に例示するように、ステム部材１０３として、例えば、嵌合穴１０８の中心位置と凹部１１０の中心位置との間での軸心方向Ｐと平行な方向における距離寸法（Ｘ１、Ｘ２、Ｘ３）と、嵌合穴１０８の中心位置と凹部１１０の中心位置との間での軸心方向Ｐと垂直な方向における距離寸法（Ｙ１、Ｙ２、Ｙ３）とが異なるステム部材（１０３ａ、１０３ｂ、１０３ｃ）が用いられ、患者の状況に応じて適宜選択されることになる。尚、ステム部材（１０３ａ、１０３ｂ、１０３ｃ）は、軸心方向Ｐにおける長さ寸法も異なっている。
【００４４】
次に、人工股関節用手術器具１について詳しく説明する。図１に示す人工股関節用手術器具１は、前述のように、股関節を人工股関節１０２に置換する人工股関節置換術において用いられる。図５は、人工股関節用手術器具１及びステム部材１０３を一部断面で示す正面図である。人工股関節置換術の際には、図５に示すように、人工股関節用手術器具１にはステム部材１０３が取り付けられ、術者による人工股関節用手術器具１の操作が行われることで、ステム部材１０３が大腿骨１００に対して取り付けられることになる。また、この人工股関節用手術器具１は、本体ユニット１１、打ち込みロッド１２、調整ブロック１３、固定ボルト１４、付勢バネ１５、補助ハンドル１６等を備えて構成されている。
【００４５】
図６は、本体ユニット１１、打ち込みロッド１２、付勢バネ１５及び補助ハンドル１６を示す正面図であり、本体ユニット１１については図６では断面図で図示している。図１、図５及び図６に示すように、本体ユニット１１は、筒状の部分が設けられた軸状の部材として形成されており、一端側に本体部１７が設けられ、他端側にハンドル部１８が設けられている。本体部１７は、調整ブロック１３が取り付けられるとともに、打ち込みロッド１２の一端側を直線方向に沿って移動自在に支持するように構成されている。この本体部１７によって、調整ブロック１３と打ち込みロッド１２における後述の加圧部２０とが打ち込みロッド１２を介して連結される。
【００４６】
ハンドル部１８は、本体部１７に一体化されて形成され、本体ユニット１１における他端側の筒状の部分として設けられている。このハンドル部１８は、術者による把持操作が可能な部分として設けられている。また、ハンドル部１８の中途部分には、補助ハンドル取り付け用の取り付け穴１８ａが形成されている。この取り付け穴１８ａは、内周に雌ネジ部分が形成されており、補助ハンドル１６の先端に形成された雄ネジ部分と螺合可能に構成されている。図６では補助ハンドル１６がハンドル部１８に取り付けられていない状態を図示しており、図１及び図５では補助ハンドル１６がハンドル部１８に取り付けられた状態を図示している。把持操作用の柄部分として形成された補助ハンドル１６は、その先端側の雄ネジ部分を取り付け穴１８ａに対して図６中の矢印Ｂ方向に向かって螺合させることで、ハンドル部１８に対して取り付けられる。尚、術者は、補助ハンドル１６をハンドル部１８に取り付けずに、ハンドル部１８を把持して人工股関節用手術器具１を操作することもでき、また、ハンドル部１８に更に補助ハンドル１６を取り付け、その補助ハンドル１６を把持して人工股関節用手術器具１を操作することもできる。
【００４７】
図１、図５及び図６に示す打ち込みロッド１２は、直線状に延びた軸状の部材として形成され、本体ユニット１１の本体部１７及びハンドル部１８に対して直線方向に沿って移動自在に支持されており、本実施形態のロッド部を構成している。この打ち込みロッド１２には、ロッド軸部１９ａ、大径軸部１９ｂ、加圧部２０、ヘッド部２１が設けられている。ロッド軸部１９ａは、打ち込みロッド１２の一端側で延びる丸棒状の部分として形成され、大径軸部１９ｂは、打ち込みロッド１２の他端側で延びてロッド軸部１９ａよりも大径の部分として形成されている。ロッド軸部１９ａの中途部分には段状に拡径した部分
が形成されており、この段状に拡径した部分がハンドル部１８の内側において段状に縮径した部分と当接可能に配置されている。これにより、ロッド軸部１９ａの一端側が本体ユニット１１から突出する方向における打ち込みロッド１２のストローク量が規制されている。
【００４８】
加圧部２０は、打ち込みロッド１２において、ハンドル部１８から突出してステム部材１０３に対向する一端側の端部に設けられ、ロッド軸部１９ａの先端で半球状に突出した部分として形成されている。この加圧部２０は、ステム部材１０３に当接するとともに、ステム部材１０３の棒状部分の軸心方向Ｐに沿って作用する力（術者がハンマー等によって打ち込みロッド１２のヘッド部２１を打ち付けることで作用する力）をステム部材１０３に伝達してステム部材１０３を加圧する加圧力を発生させるように構成されている（図５参照）。尚、ステム部材１０３と人工股関節用手術器具１とが固定された状態（図５に示す状態）では、ステム部材１０３の軸心方向Ｐは、打ち込みロッド１２の軸心方向Ｐ（即ち、人工股関節用手術器具１の軸心方向Ｐ）と一致することになる。
【００４９】
ヘッド部２１は、打ち込みロッド１２において、加圧部２０が設けられる一端側とは反対側の他端側においてハンドル部１８から突出した状態で配置されている。このヘッド部２１は、例えば、大径軸部１９ｂの他端側の端部に対して螺合により取り付けられる。そして、術者が操作する図示しないハンマー等によってこのヘッド部２１がその他端側から打ちつけられて衝撃力が付与されることで、この打ち込みロッド１２を介してその衝撃力がステム部材１０３に対して伝達され、ステム部材１０３を加圧する加圧力が付与されることになる。このように、打ち込みロッド１２は、ステム部材１０３に向かって付勢されることで、ステム部材１０３に当接する加圧部２０において、上記の加圧力を発生させるように構成されている。
【００５０】
図１、図５及び図６に示す付勢バネ１５は、コイルバネとして形成されており、打ち込みロッド１２の大径軸部１９ｂが内側を貫通した状態でハンドル部１８の内側に配置されている。そして、付勢バネ１５は、その一端側の端部が大径軸部１９ｂにおける拡径部分に係止しており、その他端側の端部がハンドル部１８の他端側の内側に固定された内筒部材１８ｂの一端側の端部に対して係止している。付勢バネ１５は、上述のように配置されることで、打ち込みロッド１２の一端側をステム部材１０３に向かって突出させる方向に打ち込みロッド１２をハンドル部１８に対して付勢するように構成されている。
【００５１】
図７は調整ブロック１３の正面図であり、図８は図５における調整ブロック１３の近傍を拡大して示す一部拡大図である。また、図９は、図８の分解図である。図１、図５、図７乃至図９に示す調整ブロック１３は、加圧部２０のステム部材１０３に当接する位置を規定可能な本実施形態のブロック部として構成されている。人工股関節用手術器具１においては、調整ブロック１３として、形状寸法の異なる複数の調整ブロック１３が備えられており、図７では、２つの調整ブロック（１３ａ、１３ｂ）を例示している。この調整ブロック１３（１３ａ、１３ｂ）は、本体部１７とは別体に形成されるとともに、本体部１７に対して着脱自在に取り付け可能なように設けられている。そして、調整ブロック１３ａは、嵌合部分２２ａ、基体部分２３ａ及び挿入用突出部分２４ａを備えて構成されている。また、調整ブロック１３ｂも、嵌合部分２２ｂ、基体部分２３ｂ及び挿入用突出部分２４ｂを備えて構成されている。
【００５２】
各嵌合部分（２２ａ、２２ｂ）は、各調整ブロック（１３ａ、１３ｂ）において、ステム部材１０３の嵌合穴１０８に対して図９中の矢印Ｃ方向に向かって嵌合する部分として形成されている。この嵌合部分（２２ａ、２２ｂ）は、先端側に向かって僅かに窄まるようにテーパ状に形成されている。尚、嵌合部分２２ａ及び嵌合部分２２ｂは、同一の形状に形成されている。また、各嵌合部分（２２ａ、２２ｂ）には、その周囲に装着されるス
リーブ部材が備えられていてもよい。このスリーブ部材としては、例えば、後述する第２実施形態におけるスリーブ部材３７と同様に構成することができる。周囲にスリーブ部材が装着されている場合、各嵌合部分（２２ａ、２２ｂ）は、嵌合穴１０８に対してスリーブ部材を介して嵌合することになる。各基体部分（２３ａ、２３ｂ）は、各嵌合部分（２２ａ、２２ｂ）と一体に形成されるとともに、各嵌合部分（２２ａ、２２ｂ）が嵌合穴１０８に嵌合する嵌合方向Ｑ（図５及び図８で一点鎖線の矢印で図示）と反対方向に向かって厚みが増すように延びて形成されている。各基体部分（２３ａ、２３ｂ）は、それぞれにおける嵌合方向Ｑと反対方向に延びる厚さ寸法が、複数の調整ブロック（１３ａ、１３ｂ）において異なるように構成されている。尚、図７では、調整ブロック１３ａの基体部分２３ａの厚さ寸法Ｔ１が、調整ブロック１３ｂの基体部分２３ｂの厚さ寸法Ｔ２よりも大きい（Ｔ１＞Ｔ２）場合を例示している。各挿入用突出部分（２４ａ、２４ｂ）は、各基体部分（２３ａ、２３ｂ）と一体に形成されるとともに、各基体部分（２３ａ、２３ｂ）から嵌合方向Ｑと反対方向に向かって突出して延びるように形成されている。この各挿入用突出部分（２４ａ、２４ｂ）は、本体部１７に形成された挿入孔１７ａに対して図９中の矢印Ｄ方向に向かって嵌め込まれるように挿入される。尚、挿入用突出部分２４ａ及び挿入用突出部分２４ｂは、同一の形状に形成されている。
【００５３】
また、図７乃至図９に示すように、各調整ブロック１３（１３ａ、１３ｂ）には、各ボルト用孔（２７ａ、２７ｂ）と、各仮止め用溝（２５ａ、２５ｂ）とが設けられている。各ボルト用孔（２７ａ、２７ｂ）は、各挿入用突出部分（２４ａ、２４ｂ）、各基体部分（２３ａ、２３ｂ）及び各嵌合部分（２２ａ、２２ｂ）を貫通する円形断面の貫通孔として形成されている。この各ボルト用孔（２７ａ、２７ｂ）には、固定ボルト１４が挿入される。
【００５４】
また、各仮止め用溝（２５ａ、２５ｂ）は、各挿入用突出部分（２４ａ、２４ｂ）の側方に凹み形成されている。本体部１７の内部には挿入穴１７ａに先端側が突出した状態でプランジャー２６が配置されており、各挿入用突出部分（２４ａ、２４ｂ）が本体部１７の挿入穴１７ａに挿入されたときに、各仮止め用溝（２５ａ、２５ｂ）に対してプランジャー２６の先端のプランジャーボール２６ａが当接する。これにより、調整ブロック（１３ａ、１３ｂ）が本体部１７に対する仮止めされた状態で保持される。尚、プランジャー２６は、外筒部材と、この外筒部材の内部に配置されたバネと、このバネに付勢されて外筒部材の先端から一部が露出可能なプランジャーボール２６ａとを備えて構成されている。そして、その外筒部材の外周に形成された雄ネジ部分が、本体部１７において挿入穴１７ａに開口するとともに内周に雌ネジ部分が形成された穴に対して螺合することで、プランジャー２６が本体部１７に対して取り付けられている。
【００５５】
図１０は、調整ブロック１３として調整ブロック１３ａではなく調整ブロック１３ｂを用いて人工股関節用手術器具１がステム部材１０３と固定された状態を示す一部断面を含む正面図であり、図５に対応する図である。尚、図５では図３に示すステム部材１０３ａが調整ブロック１３ａを用いた人工股関節用手術器具１で固定された状態を、図１０では図３に示すステム部材１０３ｃが調整ブロック１３ｂを用いた人工股関節用手術器具１で固定された状態をそれぞれ示している。即ち、図１０に示すステム部材１０３は、図５に示すステム部材１０３とは形状寸法が異なっている。これに対して、各調整ブロック（１３ａ、１３ｂ）として、各基体部分（２３ａ、２３ｂ）の厚さ寸法が各ステム部材（１０３ａ、１０３ｃ）に対応したものが選択されて取り付けられている。これにより、各調整ブロック（１３ａ、１３ｂ）は、ステム部材（１０３ａ、１０３ｃ）の形状寸法の違いに対応して加圧部２０のステム部材（１０３ａ、１０３ｃ）に当接する位置をステム部材（１０３ａ、１０３ｃ）の棒状部分の軸心方向Ｐに沿った位置（即ち、凹部１１０が設けられた位置）にそれぞれ調整して規定することができるように構成されている。
【００５６】
図１、図５、図８乃至図１０に示す固定ボルト１４は、ボルト頭部１４ａと、ボルト軸部１４ｂと、ボルト軸部１４ｂの先端側の雄ネジ部分として形成された先端ネジ部１４ｃとを備えて構成されている。ボルト軸部１４ｂは、本体部１７において貫通形成された貫通孔１７ｂに対し、図９中において矢印Ｅで示すように、挿入穴１７ａと反対側の開口から挿入される。これにより、ボルト軸部１４ｂが、貫通孔１７ｂと本体部１７に取り付けられた調整ブロック１３のボルト用孔（２７ａ、２７ｂ）とを貫通する。そして、先端ネジ部１４ｃが、調整ブロック１３の嵌合部分（２２ａ、２２ｂ）と嵌合穴１０８で嵌合するステム部材１０３のネジ穴１０９に対して螺合することになる。このとき、ボルト頭部１４ａは、本体部１７に対して貫通孔１７ｂの縁部分で座金２８を介して係合した状態となる（図８参照）。
【００５７】
上述のように、固定ボルト１４は、その一端側の先端ネジ部１４ｃがステム部材１０３のネジ穴１０９に螺合するとともに、その他端側のボルト頭部１４ａが本体部１７に係合する。これにより、調整ブロック１３がステム部材１０３に対して固定されるとともに、調整ブロック１３が本体部１７に対して固定されることになる。尚、この固定ボルト１４は、本体部１７と調整ブロック１３とを嵌合方向Ｑに沿って貫通するとともに、調整ブロック１３をステム部材１０３に対して固定する本実施形態の固定手段（第１のボルト部材）を構成している。
【００５８】
次に、人工股関節用手術器具１を用いた大腿骨１００へのステム部材１０３の取り付けについて説明する。人工股関節置換術において用いられるステム部材１０３の形状寸法が決定されると、そのステム部材１０３に対応する調整ブロック１３も同時に決定されることになる。そして、その調整ブロック１３の挿入用突出部分（２４ａ、２４ｂ）が本体部１７の挿入穴１７ａに挿入されて嵌め込まれる。このとき、挿入用突出部分（２４ａ、２４ｂ）の仮止め溝（２５ａ、２５ｂ）にプランジャー２６のプランジャーボール２６ａが係止するように当接し、調整ブロック１３が本体部１７に仮止め状態で保持される。
【００５９】
上述のように調整ブロック１３が本体ユニット１１に組み合わされた状態で、嵌合部分（２２ａ、２２ｂ）がステム部材１０３の嵌合穴１０８に嵌合するように嵌め込まれる。そして、固定ボルト１４が、本体部１７の貫通孔１７ｂから挿入されて調整ブロック１３を貫通し、先端ネジ部１４ｃにおいてステム部材１０３のネジ穴１０９に螺合するように、配置される。これにより、本体部１７、調整ブロック１３及びステム部材１０３が固定ボルト１４で結合され、人工股関節用手術器具１とステム部材１０３とが固定されることになる。また、このとき、付勢バネ１５で付勢された打ち込みロッド１２の一端側の端部に設けられた加圧部２０が、ステム部材１０３の軸心方向Ｐにおいて、ステム部材１０３に対して凹部１１０において当接した状態となる（図８参照）。
【００６０】
上述のように人工股関節用手術器具１とステム部材１０３とを固定した状態で、ハンドル部１８又は補助ハンドル１６が把持されて、予めリーミングやラスピングの処置が施された大腿骨１００の髄腔部１００ａに対して、ステム部材１０３の挿入が行われる。髄腔部１００ａに対して所定の深さまでステム部材１０３が挿入されると、次いで、ハンドル部１８又は補助ハンドル１６が術者の一方の手で把持された状態で、その術者の他方の手に把持されたハンマー（図示せず）がヘッド部２１に打ちつけられることになる。これにより、ハンマーによる衝撃力が打ち込みロッド１２の加圧部２０を介してステム部材１０３に伝達され、ステム部材１０３に対してその軸心方向Ｐに沿った加圧力が付与されることになる。
【００６１】
上述の加圧力が適宜繰り返して付与されることによって、ステム部材１０３が髄腔部１００ａの所定位置まで加圧されて挿入されることになる。髄腔部１００ａの所定深さまでステム部材１０３が到達すると、固定ボルト１４がネジ穴１０９から離脱する程度に緩め
られ、更に、嵌合部分（２２ａ、２２ｂ）が嵌合穴１０８から抜き出され、調整ブロック１３が本体ユニット１１に取り付けられたままの状態の人工股関節用手術器具１がステム部材１０３から取り外される。これにより、大腿骨１００へのステム部材１０３の人工股関節用手術器具１による取り付けが終了することになる。
【００６２】
以上説明した人工股関節用手術器具１によると、本体部１７で連結された調整ブロック１３と加圧部２０とが設けられ、調整ブロック１３における嵌合部分（２２ａ、２２ｂ）がステム部材１０３の嵌合穴１０８に嵌合した状態で調整ブロック１３において人工股関節用手術器具１がステム部材１０３に固定される。このとき、調整ブロック１３によって、加圧部２０のステム部材１０３に当接する位置が規定されている。そして、人工股関節用手術器具１が固定されたステム部材１０３を大腿骨１００の髄腔部１００ａに挿入した状態で、人工股関節用手術器具１に対してステム部材１０３の棒状部分の軸心方向Ｐに沿った力が付加される。これにより、その力がステム部材１０３に当接する加圧部２０から同じ方向でそのステム部材１０３に対して伝達され、ステム部材１０３の軸心方向Ｐに沿った加圧力が加圧部２０からステム部材１０３に付与されることになる。このため、ステム部材１０３に対しては、ステム部材１０３における嵌合穴１０８が設けられた端部側において内反又は外反させるような回転方向の力が生じることがなく、ステム部材１０３に対して曲げ方向の力が発生してしまうことを防止できる。このため、術者は、ステム部材１０３の軸心方向Ｐに沿った力を発生させてその同一方向においてステム部材１０３を加圧することができ、大腿骨１００に対してステム部材１０３を容易に取り付けることができる。
【００６３】
従って、本実施形態によると、モジュラーネック部材１０４と嵌合する形態のステム部材１０３を大腿骨１００に取り付けるための人工股関節用手術器具に関し、ステム部材１０３に対して曲げ方向の力を発生させることを防止でき、大腿骨１００に対してステム部材１０３を容易に取り付けることができる、人工関節置換術用手術器具１を提供することができる。
【００６４】
また、人工股関節用手術器具１によると、本体部１７に対して別体に形成されて着脱自在な調整ブロック１３が、ステム部材１０３の形状寸法の違いに対応してそれぞれ形状寸法の異なる調整ブロック１３として複数設けられる。そして、ステム部材１０３を大腿骨１００に取り付ける場合には、そのステム部材１０３の形状寸法に対応する形状寸法の調整ブロック１３を本体部１７に取り付け、その調整ブロック１３をステム部材１０３に固定することで、加圧部２０のステム部材１０３に当接する位置がステム部材１０３の軸心方向Ｐに沿った所定の位置（凹部１１０が設けられた位置）に規定される。このため、調整ブロック１３のみを複数設けることで、形状寸法の異なるステム部材１０３を大腿骨１００に対して容易に取り付けることができ、構成の簡素化を図ることができる。
【００６５】
また、人工股関節用手術器具１によると、本体部１７に一体化されたハンドル部１８が設けられているため、このハンドル部１８を把持操作しながらステム部材１０３の大腿骨１００への取り付け作業を行うことができ、更にステム部材１０３の取り付け作業の容易化を図ることができる。そして、形状寸法の異なるステム部材１０３を取り扱う場合であっても、一体化されたハンドル部１８及び本体部１７はそのまま用いて調整ブロック１３のみを対応する形状寸法のものに取り替えることで、容易にステム部材１０３の取り付け作業を行うことができ、構成の簡素化を図ることができる。
【００６６】
また、人工股関節用手術器具１によると、ハンドル部１８に対して直線方向に移動自在に支持された打ち込みロッド１２が設けられ、その打ち込みロッド１２におけるハンドル部１８から突出する一端側にステム部材１０３に当接して加圧力を発生させる加圧部２０が設けられる。このため、打ち込みロッド１２を移動させることによって、加圧部２０の
位置を加圧力を作用させる方向において容易に調整することができる。
【００６７】
また、人工股関節用手術器具１によると、打ち込みロッド１２をステム部材１０３に向かって突出させる方向に付勢する付勢バネ１５が設けられている。このため、打ち込みロッド１２の一端側の加圧部２０は付勢バネ１５のバネ力によってステム部材１０３に対して押し付けられた状態に維持されることになり、打ち込みロッド１２がステム部材１０３に対して振動するように何度も当接してステム部材１０３を傷付けてしまうことが防止される。また、本実施形態のように、打ち込みロッド１２に対してステム部材１０３の軸心方向Ｐに沿った衝撃力を作用させて加圧部２０からステム部材１０３を加圧する場合、その衝撃力の作用時において、加圧部２０が付勢バネ１５のバネ力によってステム部材１０３に対して押し付けられていて隙間がない状態となっている。このため、加圧部２０が隙間を介して急激にステム部材１０３に衝突するようなことがなく、ステム部材１０３を傷付けてしまうことが防止される。
【００６８】
また、人工股関節用手術器具１によると、打ち込みロッド１２の他端側にはハンドル部１８から突出した状態のヘッド部２１が設けられ、術者は、このヘッド部２１を打ちつけることで、打ち込みロッド１２の一端側の加圧部２０からステム部材１０３に対して加圧力を付与することができる。従って、術者は、ハンドル部１８又は補助ハンドル１６を把持して、ハンドル部１８を貫通した状態で支持された打ち込みロッド１２の端部のヘッド部２１を打ち付けるだけで、ステム部材１０３をその軸心方向に沿って加圧する加圧力を容易に発生させることができる。
【００６９】
また、人工股関節用手術器具１によると、複数の調整ブロック１３は、嵌合穴１０８への嵌合方向Ｑと反対方向に厚みが増す基体部分（２３ａ、２３ｂ）の厚さ寸法が異なるように形成される。そして、ステム部材１０３を大腿骨１００に取り付ける場合には、そのステム部材１０３の形状寸法に対応する厚さ寸法の基体部分（２３ａ、２３ｂ）を有する調整ブロック１３を本体部１７に取り付け、その調整ブロック１３をステム部材１０３に固定するとともに、対応する調整ブロック１３の選択によって打ち込みロッド１２の位置が調整されることで、加圧部２０のステム部材１０３に当接する位置がステム部材１０３の軸心方向Ｐに沿った所定の位置に規定される。このため、基体部分（２３ａ、２３ｂ）の厚さ寸法が異なる調整ブロック１３のみを複数設けることで、形状寸法の異なるステム部材１０３を大腿骨１００に対して容易に取り付けることができ、構成の簡素化を図ることができる。
【００７０】
また、人工股関節用手術器具１によると、調整ブロック１３は、基体部分（２３ａ、２３ｂ）の一方側に嵌合部分（２２ａ、２２ｂ）が設けられその反対側に挿入用突出部分（２４ａ、２４ｂ）が設けられるよう形成されている。このため、嵌合部分（２２ａ、２２ｂ）でステム部材１０３の嵌合穴１０８に嵌合させ、挿入用突出部分（２４ａ、２４ｂ）で本体部１７に挿入して嵌め込むことができ、本体部１７及びステム部材１０３に対して同軸方向に沿って容易に取り付けることができる調整ブロック１３を得ることができる。
【００７１】
また、人工股関節用手術器具１によると、本体部１７及び調整ブロック１３を貫通させた固定ボルト１４の一端側でステム部材１０３に螺合させるとともに他端側で本体部１７に係合させることで、ステム部材１０３、調整ブロック１３及び本体部１７を固定ボルト１４のみによって一体的に固定することができる。従って、調整ブロック１３をステム部材１０３に固定する固定手段である固定ボルト１４によって調整ブロック１３の本体部１７への固定も行うことができ、ステム部材１０３、調整ブロック１３及び本体部１７を結合させる構造の簡素化を図ることができる。
【００７２】
（第２実施形態）
図１１は、本考案の第２実施形態に係る人工股関節用手術器具２を示す正面図であって、一部断面で示す図である。図１１に示す人工股関節用手術器具２は、第１実施形態の人工股関節用手術器具１と同様に、股関節を人工股関節１０２（図２参照）に置換する人工股関節置換術において用いられる。尚、人工股関節１０２の構成については、第１実施形態と同様であるため、説明を省略する。
【００７３】
図１２は、人工股関節用手術器具２及びステム部材１０３を一部断面で示す正面図である。人工股関節置換術の際には、図１２に示すように、人工股関節用手術器具２にはステム部材１０３が取り付けられ、術者による人工股関節用手術器具１０３の操作が行われることで、ステム部材１０３が大腿骨１００に対して取り付けられることになる。尚、人工股関節用手術器具２は、ステム打ち込み器１２０とともに用いられる。ステム打ち込み器１２０は、ステム部材を大腿骨に取り付けるための衝撃力を付与する器具として、ネック部とステム部とが一体に形成されたステム部材を大腿骨に取り付けるために従来から用いられているようなロッド状の器具である。このステム打ち込み器１２０は、一端側の端部１２０ａがハンマー（図示せず）によって打ち付けられ、他端側の端部１２０ｂが後述のように人工股関節用手術器具２に対して嵌合により取り付けられる。また、この人工股関節用手術器具２は、一体化本体ブロック３１、固定ボルト３２、加圧部３５等を備えて構成されている。
【００７４】
図１３は一体化本体ブロック３１の正面図であり、図１４は図１２における一体化本体ブロック３１の近傍を拡大して示す一部拡大図である。また、図１５は、図１４の分解図である。図１１乃至図１５に示すように、人工股関節用手術器具２においては、一体化本体ブロック３１として、形状寸法の異なる複数の一体化本体ブロック３１が備えられており、図１３では、２つの一体化本体ブロック３１（３１ａ、３１ｂ）を例示している。一体化本体ブロック３１ａは、本体部３３ａ及びブロック部３４ａを備えて構成されており、本体部３３ａ及びブロック部３４ａは一体に形成されている。また、一体化本体ブロック３１ｂも、本体部３３ｂ及びブロック部３４ｂを備えて構成されており、本体部３３ｂ及びブロック部３４ｂは一体に形成されている。このように、一体化本体ブロック（３１ａ、３１ｂ）は、一体形成された本体部（３３ａ、３３ｂ）及びブロック部（３４ａ、３４ｂ）として構成されている。
【００７５】
図１１乃至図１５に示すように、各ブロック部（３４ａ、３４ｂ）は、各嵌合部分（３６ａ、３６ｂ）を有するとともに、第１実施形態の調整ブロック１３と同様に、加圧部３５のステム部材１０３に当接する位置を規定可能に構成されている。各嵌合部分（３６ａ、３６ｂ）は、各ブロック部（３１ａ、３１ｂ）において、ステム部材１０３の嵌合穴１０８に対して図１５中の矢印Ｆ方向に向かって嵌合する部分として形成されている。尚、図１２及び図１４では、各嵌合部分（３６ａ、３６ｂ）が嵌合穴１０８に嵌合する嵌合方向Ｑを一点鎖線の矢印で図示している。この嵌合部分（３６ａ、３６ｂ）は、先端側に向かって僅かに窄まるようにテーパ状に形成されている。尚、嵌合部分３６ａ及び嵌合部分３６ｂは、同一の形状に形成されている。そして、本実施形態では、各嵌合部分（３６ａ、３６ｂ）の周囲には、スリーブ部材３７が装着されている。従って、各嵌合部分（３６ａ、３６ｂ）は、嵌合穴１０８に対してスリーブ部材３７を介して嵌合する。また、各ブロック（３４ａ、３４ｂ）には、円形断面の貫通孔としての各ボルト用孔（３８ａ、３８ｂ）が形成されている。この各ボルト用孔（３８ａ、３８ｂ）には、固定ボルト３２が挿入される。
【００７６】
図１１乃至図１５に示すように、各本体部（３３ａ、３３ｂ）は、各ブロック部（３４ａ、３４ｂ）と加圧部３５とを一体化する部分として構成されている。尚、加圧部３５は、例えば、螺合によって本体部（３３ａ、３３ｂ）に対して固定され、各本体部（３３ａ、３３ｂ）から突出した部分として設けられて各本体部（３３ａ、３３ｂ）に一体化され
ている。また、各本体部（３３ａ、３３ｂ）には、加圧部３５が突出する側と反対側において、ステム打ち込み器１２０の他端側の端部１２０ｂと嵌合するように凹み形成された各凹み穴（３９ａ、３９ｂ）が形成されている。ステム打ち込み器１２０の他端側の端部１２０ｂは、図１５中において矢印Ｈ方向で示すように各凹み穴（３９ａ、３９ｂ）に挿入されることで、各凹み穴（３９ａ、３９ｂ）に嵌合する（図１４参照）。
【００７７】
尚、各本体部（３３ａ、３３ｂ）から突出するよう設けられた各加圧部３５（３５ａ、３５ｂ）は、ステム部材１０３に対向するよう設けられており、本体部３３ａから突出する加圧部３５ａと本体部３３ｂから突出する加圧部３５ｂとには、いずれも先端において半球状の部分が形成されている。各加圧部（３５ａ、３５ｂ）は、ステム部材１０３に当接するとともに、ステム部材１０３の棒状部分の軸心方向Ｐに沿って作用する力（術者がハンマー等によってステム打ち込み器１２０の一端側の端部１２０ａを打ち付けることで作用する力）をステム部材１０３に伝達してステム部材１０３を加圧する加圧力を発生させるように構成されている（図１２参照）。尚、ステム部材１０３と人工股関節用手術器具２とが固定されるとともに、各本体部（３３ａ、３３ｂ）の各凹み穴（３９ａ、３９ｂ）にステム打ち込み器１２０の他端側の端部１２０ｂが嵌め込まれた状態（図１２に示す状態）では、ステム部材１０３の軸心方向Ｐは、ステム打ち込み器１２０の軸心方向Ｐと一致することになる。
【００７８】
図１６は、一体化本体ブロック３１として一体化本体ブロック３１ａではなく一体化本体ブロック３１ｂを用いて人工股関節用手術器具２がステム部材１０３と固定された状態を示す一部断面を含む正面図であり、図１２に対応する図である。尚、図１２では図３に示すステム部材１０３ａが一体化本体ブロック３１ａを用いた人工股関節用手術器具２で固定された状態を、図１６では図３に示すステム部材１０３ｃが一体化本体ブロック３１ｂを用いた人工股関節用手術器具２で固定された状態をそれぞれ示している。即ち、図１６に示すステム部材１０３は、図１２に示すステム部材１０３とは形状寸法が異なっている。これに対して、各一体化本体ブロック３１（３１ａ、３１ｂ）として、各ブロック部（３４ａ、３４ｂ）の形状寸法が各ステム部材（１０３ａ、１０３ｃ）に対応したものが選択されて取り付けられている。これにより、各一体化本体ブロック３１（３１ａ、３１ｂ）は、ステム部材（１０３ａ、１０３ｃ）の形状寸法の違いに対応して各加圧部３５（３５ａ、３５ｂ）のステム部材（１０３ａ、１０３ｃ）に当接する位置をステム部材（１０３ａ、１０３ｃ）の棒状部分の軸心方向Ｐに沿った位置（即ち、凹部１１０が設けられた位置）にそれぞれ調整して規定することができるように構成されている。
【００７９】
図１１、図１２、図１４乃至図１６に示す固定ボルト３２は、ボルト頭部３２ａと、ボルト軸部３２ｂと、ボルト軸部３２ｂの先端側の雄ネジ部分として形成された先端ネジ部３２ｃとを備えて構成されている。ボルト軸部３２ｂは、各ブロック部（３４ａ、３４ｂ）において貫通形成された各ボルト用孔（３８ａ、３８ｂ）に対し、図１５中において矢印Ｇで示すように、各ボルト用孔（３８ａ、３８ｂ）と反対側の開口から挿入される。これにより、ボルト軸部３２ｂが、各一体化本体ブロック（３１ａ、３１ｂ）における各ブロック部（３４ａ、３４ｂ）の各ボルト用孔（３８ａ、３８ｂ）を貫通する。そして、先端ネジ部３２ｃが、各ブロック部（３４ａ、３４ｂ）の各嵌合部分（３６ａ、３６ｂ）と嵌合穴１０８で嵌合するステム部材１０３のネジ穴１０９に対して螺合することになる。このとき、ボルト頭部３２ａは、各ブロック部（３４ａ、３４ｂ）に対して各ボルト用孔（３８ａ、３８ｂ）の縁部分で座金４０を介して係合した状態となる（図１４参照）。
【００８０】
上述のように、固定ボルト３２は、その一端側の先端ネジ部３２ｃがステム部材１０３のネジ穴１０９に螺合するとともに、その他端側のボルト頭部３２ａが各ブロック部（３４ａ、３４ｂ）に係合する。これにより、各ブロック部（３４ａ、３４ｂ）及び各本体部（３３ａ、３３ｂ）がステム部材１０３に対して固定されることになる。尚、この固定ボ
ルト３２は、各ブロック部（３４ａ、３４ｂ）を嵌合方向Ｑに沿って貫通するとともに、各ブロック部（３４ａ、３４ｂ）をステム部材１０３に対して固定する本実施形態の固定手段（第２のボルト部材）を構成している。
【００８１】
次に、人工股関節用手術器具２を用いた大腿骨１００へのステム部材１０３の取り付けについて説明する。人工股関節置換術において用いられるステム部材１０３の形状寸法が決定されると、そのステム部材１０３に対応する一体化本体ブロック３１も同時に決定されることになる。そして、その一体化本体ブロック３１におけるブロック部（３４ａ、３４ｂ）の嵌合部分（３６ａ、３６ｂ）がステム部材１０３の嵌合穴１０８に嵌合するように嵌め込まれる。そして、固定ボルト３２が、ブロック部（３４ａ、３４ｂ）のボルト用孔（３８ａ、３８ｂ）に挿入されてブロック部（３４ａ、３４ｂ）を貫通し、先端ネジ部３２ｃにおいてステム部材１０３のネジ穴１０９に螺合するように、配置される。これにより、一体化本体ブロック３１及びステム部材１０３が固定ボルト３２で結合され、人工股関節用手術器具２とステム部材１０３とが固定されることになる。また、このとき、本体部（３３ａ、３３ｂ）から突出した加圧部３５が、ステム部材１０３の軸心方向Ｐにおいて、ステム部材１０３に対して凹部１１０において当接した状態となる（図１４参照）。
【００８２】
上述のように人工股関節用手術器具２とステム部材１０３とを固定した状態で、大腿骨１００の髄腔部１００ａにステム部材１０３を挿入するとともに本体部（３３ａ、３３ｂ９の凹み穴（３９ａ、３９ｂ）にステム打ち込み器１２０の他端側の端部１２０ｂを嵌合させる処置が行われる。そして、ステム打ち込み器１２０が一体化本体ブロック３１に嵌合するとともに、髄腔部１００ａに対して所定の深さまでステム部材１０３が挿入された状態で、ステム打ち込み器１２０の中途部分が術者の一方の手で把持されたまま、その術者の他方の手に把持されたハンマー（図示せず）がステム打ち込み器１２０の一端側の端部１２０ａに打ちつけられることになる。これにより、ハンマーによる衝撃力がステム打ち込み器１２０、本体部（３３ａ、３３ｂ）及び加圧部３５を介してステム部材１０３に伝達され、ステム部材１０３に対してその軸心方向Ｐに沿った加圧力が付与されることになる。
【００８３】
上述の加圧力が適宜繰り返して付与されることによって、ステム部材１０３が髄腔部１００ａの所定位置まで加圧されて挿入されることになる。髄腔部１００ａの所定深さまでステム部材１０３が到達すると、固定ボルト３２がネジ穴１０９から離脱する程度に緩められ、更に、嵌合部分（３６ａ、３６ｂ）が嵌合穴１０８から抜き出され、人工股関節用手術器具２がステム部材１０３から取り外される。これにより、大腿骨１００へのステム部材１０３の人工股関節用手術器具２による取り付けが終了することになる。
【００８４】
以上説明した人工股関節用手術器具２によると、本体部（３３ａ、３３ｂ）で一体化されたブロック部（３４ａ、３４ｂ）と加圧部３５とが設けられ、ブロック部（３４ａ、３４ｂ）における嵌合部分（２２ａ、２２ｂ）がステム部材１０３の嵌合穴１０８に嵌合した状態でブロック部（３４ａ、３４ｂ）において人工股関節用手術器具２がステム部材１０３に固定される。このとき、ブロック部（３４ａ、３４ｂ）によって、加圧部３５のステム部材１０３に当接する位置が規定されている。そして、人工股関節用手術器具２が固定されたステム部材１０３を大腿骨１００の髄腔部１００ａに挿入した状態で、人工股関節用手術器具２に対してステム部材１０３の棒状部分の軸心方向Ｐに沿った力が付加される。これにより、その力がステム部材１０３に当接する加圧部３５から同じ方向でそのステム部材１０３に対して伝達され、ステム部材１０３の軸心方向Ｐに沿った加圧力が加圧部３５からステム部材１０３に付与されることになる。このため、ステム部材１０３に対しては、ステム部材１０３における嵌合穴１０８が設けられた端部側において内反又は外反させるような回転方向の力が生じることがなく、ステム部材１０３に対して曲げ方向の
力が発生してしまうことを防止できる。このため、術者は、ステム部材１０３の軸心方向Ｐに沿った力を発生させてその同一方向においてステム部材１０３を加圧することができ、大腿骨１００に対してステム部材１０３を容易に取り付けることができる。
【００８５】
従って、本実施形態によると、モジュラーネック部材１０４と嵌合する形態のステム部材１０３を大腿骨１００に取り付けるための人工股関節用手術器具に関し、ステム部材１０３に対して曲げ方向の力を発生させることを防止でき、大腿骨１００に対してステム部材１０３を容易に取り付けることができる、人工関節置換術用手術器具２を提供することができる。
【００８６】
また、人工股関節用手術器具２によると、加圧部３５が突出するよう設けられた本体部（３３ａ、３３ｂ）にブロック部（３４ａ、３４ｂ）が一体形成されることで、人工股関節用手術器具２が構成される。このため、小型でコンパクトな構造の人工股関節用手術器具２を実現することができる。
【００８７】
また、人工股関節用手術器具２によると、本体部（３３ａ、３３ｂ）には加圧部３５と反対側に凹み穴（３９ａ、３９ｂ）が形成されており、衝撃力を付与するための器具であるステム打ち込み器１２０の端部１２０ｂがこの凹み穴（３９ａ、３９ｂ）に嵌合した状態でそのステム打ち込み器１２０のもう一方の端部１２０ａが打ちつけられることで、ステム部材１０３を加圧する加圧力を生じさせることができる。このため、ステム部材１０３を大腿骨１００に取り付けるための衝撃力を付与する器具として、ネック部とステム部とが一体に形成されたステム部材を大腿骨に取り付けるために従来から用いられているようなロッド状のステム打ち込み器１２０の端部１２０ｂを本体部（３３ａ、３３ｂ）の凹み穴（３９ａ、３９ｂ）に嵌合させて用いることができる。また、加圧部３５が突出するよう設けられた本体部（３３ａ、３３ｂ）にブロック部（３４ａ、３４ｂ）が一体形成されたコンパクトな構造の人工股関節用手術器具２において、更に凹み穴（３９ａ、３９ｂ）を設けるという簡素な構成によって、衝撃力を伝達することによる加圧力をステム部材１０３に対して安定的に作用させることができる。
【００８８】
また、人工股関節用手術器具２によると、一体形成された本体部（３３ａ、３３ｂ）及びブロック部（３４ａ、３４ｂ）で構成された一体化本体ブロック３１（３１ａ、３１ｂ）が、ステム部材１０３の形状寸法の違いに対応してそれぞれ形状寸法の異なる一体化本体ブロック３１（３１ａ、３１ｂ）として複数設けられる。そして、ステム部材１０３を大腿骨１００に取り付ける場合には、そのステム部材１０３の形状寸法に対応する形状寸法の一体化本体ブロック３１を選択し、それをステム部材１０３に固定することで、加圧部３５のステム部材１０３に当接する位置がステム部材１０３の軸心方向Ｐに沿った所定の位置（凹部１１０が設けられた位置）に規定される。このため、一体化本体ブロック３１を複数設けることで、形状寸法の異なるステム部材１０３を大腿骨１００に対して容易に取り付けることができる。
【００８９】
また、人工股関節用手術器具２によると、一体形成された本体部（３３ａ、３３ｂ）及びブロック部（３４ａ、３４ｂ）のうちのブロック部（３４ａ、３４ｂ）を貫通させた固定ボルト３２の一端側でステム部材１０３に螺合させるとともに他端側でブロック部（３４ａ、３４ｂ）に係合させることで、ブロック部（３４ａ、３４ｂ）及び本体部（３３ａ、３３ｂ）を固定ボルト３２を用いた簡素な構成によってステム部材１０３に対して容易に固定することができる。従って、ブロック部（３４ａ、３４ｂ）をステム部材１０３に固定する固定手段をブロック部（３４ａ、３４ｂ）を貫通する固定ボルト３２によって簡素な構成で容易に形成することができる。
【００９０】
以上、本考案の実施形態について説明したが、本考案は上述の実施の形態に限られるも
のではなく、実用新案登録請求の範囲に記載した限りにおいて様々な変更が可能なものである。例えば、次のように変更して実施してもよい。
【００９１】
（１）本実施形態では、セメントレスタイプの人工股関節に置換する人工股関節置換術において本考案が適用される場合を例にとって説明したが、この例に限らず、ステム部材が大腿骨に対して埋植される際に骨セメントが用いられるタイプの人工股関節に置換する人工股関節置換術においても本考案を適用することができる。この場合、人工股関節用手術器具に対しては、ハンマーで打ちつけるような衝撃力は付加されず、徐々に荷重を大きくしていくようにして力が付加されることになる。
【００９２】
（２）本体部、ブロック部及び加圧部の形状については、本実施形態で例示したものに限られず、適宜変更して実施することができる。また、第１実施形態では、挿入用突出部分、基体部分及び嵌合部分の各軸心が同一直線上に沿って配置された形態を例にとって説明したが、この通りでなくてもよい。例えば、挿入用突出部分、基体部分及び嵌合部分の各軸心が適宜平行にずれて配置されている形態であってもよい。また、挿入用突出部分、基体部分及び嵌合部分の各軸心が適宜斜めに交差するように配置されている形態であってもよい。
【００９３】
（３）本実施形態では、ブロック部をステム部材に対して固定する固定手段がボルト部材として構成される形態を例にとって説明したが、この通りでなくてもよく、ボルト部材以外の固定手段として構成されるものであってもよい。例えば、ブロック部における嵌合部分の先端側に突起部分が形成され、嵌合部分をステム部材の嵌合穴内で少し回転させることで、上記の突起部分が嵌合穴内に形成された溝状の部分と係合し、ブロック部がステム部材に対して固定されるようなものであってもよい。
【産業上の利用可能性】
【００９４】
本考案は、大腿骨に一端側が埋植される棒状に形成されたステム部材とステム部材に対して嵌合により取り付けられるとともに骨頭ボール部材にも嵌合するモジュラーネック部材とを有する人工股関節に股関節を置換する人工股関節置換術において、大腿骨に対してステム部材を取り付けるために用いられる人工股関節用手術器具として、広く適用することができるものである。
【符号の説明】
【００９５】
１                          人工関節置換術用手術器具
１３、１３ａ、１３ｂ        調整ブロック（ブロック部）
１４                        固定ボルト（固定手段）
１７                        本体部
２０                        加圧部
２２ａ、２２ｂ              嵌合部分
１００                      大腿骨
１０２                      人工股関節
１０３                      ステム部材
１０４                      モジュラーネック部材
１０８                      嵌合穴
【図１】
0003151004.tif 000003
【図２】
0003151004.tif 000004
【図３】
0003151004.tif 000005
【図４】
0003151004.tif 000006
【図５】
0003151004.tif 000007
【図６】
0003151004.tif 000008
【図７】
0003151004.tif 000009
【図８】
0003151004.tif 000010
【図９】
0003151004.tif 000011
【図１０】
0003151004.tif 000012
【図１１】
0003151004.tif 000013
【図１２】
0003151004.tif 000014
【図１３】
0003151004.tif 000015
【図１４】
0003151004.tif 000016
【図１５】
0003151004.tif 000017
【図１６】
0003151004.tif 000018